(57)【要約】  【課題】  静電気除去効率及び信頼性が高い液晶表示装置用導電性偏光板を提供すること。  【解決手段】  保護層、粘着層、下部支持層、偏光層、上部支持層、反射／静電気防止層が順次積層された液晶表示装置用導電性偏光板において、前記反射／静電気防止層が、ＡＴＯ層（２１）と、ＡＴＯ層（２１）の上に形成された、静電気を伝導させる伝導性高分子パターン（３２）と、伝導性高分子パターン（３２）を含んでＡＴＯ層（２１）の全面上に形成された、シリカ粒子（２３）が分散された反射防止層（２２）とを備えている。【選択図】図３
2005326858.tif 000002
【特許請求の範囲】
【請求項１】
保護層、粘着層、下部支持層、偏光層、上部支持層、及び反射／静電気防止層が順次積層された液晶表示装置用導電性偏光板であって、
前記反射／静電気防止層が、
ＡＴＯ層と、
該ＡＴＯ層の上に形成された、静電気を伝導させる伝導性高分子パターンと、
該伝導性高分子パターンを含んで前記ＡＴＯ層の全面上に形成された、シリカ粒子が分散された反射防止層とを備えていることを特徴とする液晶表示装置用導電性偏光板。
【請求項２】
前記伝導性高分子パターンが、ポリアセンチレン（Ｐｏｌｙａｃｅｔｙｌｅｎｅ）、ポリピロール（Ｐｏｌｙｐｙｒｒｏｌｅ）及びＡＴＯ（Ａｎｔｉｍｏｎｙ  Ｔｉｎ  Ｏｘｉｄｅ）からなる群の中から選択されるいずれか一つからなることを特徴とする請求項１記載の液晶表示装置用導電性偏光板。
【発明の詳細な説明】
【技術分野】
【０００１】
本発明は、液晶表示装置用の導電性偏光板に関し、より詳細には、静電気除去効率及び信頼性が高い導電性偏光板に関する。
【背景技術】
【０００２】
周知の通り、薄膜トランジスタ液晶表示装置は、スイッチング素子である薄膜トランジスタが形成された下部基板と、赤、緑、青の３種類のカラーフィルター層が繰り返し配列されている上部基板とが、液晶層を間に挟んで接合され、下部基板及び上部基板の外側面の各々に偏光板が取り付けられた構造となっている。
【０００３】
ここで、偏光板は光源から放出された光の偏光状態を調節するためのものであって、下から上に保護層、粘着層、下部支持層、偏光層、及び上部支持層が順次積層された構造となっている。
【０００４】
ところが、液晶表示装置の製造での編光板を取り付ける工程において、静電気が発生して液晶配向の不良を引き起こすことがあった。また、製造完了した液晶表示装置では、上部基板の表面での反射率が大きくて、画面の品質が低くかった。
【０００５】
そのために、静電気による液晶配向不良の誘発を防止すると共に、光の反射率を減少させるために、導電性偏光板が提案された。
【０００６】
このような導電性偏光板は、図１に示すように、下から保護層１１、粘着層１２、下部支持層１３、偏光層１４及び上部支持層１５が順次積層された構造において、上部支持層１５の上に反射／静電気防止（Ａｎｔｉ−ｇｌａｒｅ／Ａｎｔｉ−ｓｔａｔｉｃ）層１６を追加した構造をしている。
【０００７】
ここで、粘着層１２はアクリル系物質から形成されており、下部支持層１３と上部支持層１５とはトリアセテートセルロース（Ｔｒｉ  Ａｃｅｔａｔｅ  Ｃｅｌｌｕｌｏｓｅ：ＴＡＣ）から形成され、偏光層１４はポリビニルアルコールから形成されている。
【０００８】
また、反射／静電気防止層１６は、図２に示すように、シリカ粒子２３が分散され、ＡＴＯ（Ａｎｔｉｍｏｎｙ  Ｔｉｎ  Ｏｘｉｄｅ）層２１の上に形成された反射防止層２２に、静電気防止のために金属のニッケル粒子３１を分散させた構造をしており、ニッケル粒子３１が偏光板の上面に生じた静電気を伝導させて、これをＡＴＯ層２１に均等に分散させて偏光板の全面に等しい静電気分布が形成されるようにし、これによって、高圧静電気による液晶表示装置の画面品質の低下及び損傷を防止できることになる。
【発明の開示】
【発明が解決しようとする課題】
【０００９】
しかし、前述の従来の導電性偏光板によると、静電気を導出するためのニッケル粒子は反射防止層に均一に分散させなければならないが、実際の工程では均一な分散が困難であるので、これによる静電気除去の効率には限界がある。また、反射防止層は非金属有機高分子物質であるのに対して、ニッケル粒子は金属性物質であるので、これら異種物質間の混合が十分になされるべきであるが、反射防止層の素材とニッケル粒子との間の接着力が弱いので、反射／静電気防止層自体の信頼性の確保にも限界がある。
【００１０】
従って、本発明は、上記のような従来技術の問題を解決するために案出されたものであって、静電気除去効率及び信頼性が高い液晶表示装置用導電性偏光板を提供することをその目的とする。
【課題を解決するための手段】
【００１１】
上記の目的の達成のために、本発明では、保護層、粘着層、下部支持層、偏光層、上部支持層、及び反射／静電気防止層が順次積層された液晶表示装置用導電性偏光板であって、前記反射／静電気防止層が、ＡＴＯ層と、該ＡＴＯ層の上に形成された、静電気を伝導させる伝導性高分子パターンと、該伝導性高分子パターンを含んで前記ＡＴＯ層の全面上に形成された、シリカ粒子が分散された反射防止層とを備えていることを特徴とする液晶表示装置用導電性偏光板を提供する。
【００１２】
また、前記伝導性高分子パターンは、ポリアセンチレン（Ｐｏｌｙａｃｅｔｙｌｅｎｅ）、ポリピロール（Ｐｏｌｙｐｙｒｒｏｌｅ）、及びＡＴＯ（Ａｎｔｉｍｏｎｙ  Ｔｉｎ  Ｏｘｉｄｅ）からなる群の中から選択されるいずれか一つからなることが望ましい。
【発明の効果】
【００１３】
以上のように、本発明では、静電気防止処理のための物質として、反射防止層と同種物質である伝導性高分子物質を用いるので、反射／静電気防止層の信頼性を高めることができる。
【００１４】
また、本発明では、静電気防止処理のための物質をフォトリソグラフィ及びエッチング処理によって形成するので、均一な分布に形成可能であり、従って、静電気防止効率を高めることができる。
【００１５】
また、本発明は、ニッケル粒子に比べて費用が安い伝導性高分子を用いることにより、偏光板製造コストを低減する付加的な効果をも奏する。
【発明を実施するための最良の形態】
【００１６】
以下、添付の図面を参照して、本発明の望ましい実施の形態を詳細に説明する。
【００１７】
図３は、本発明の実施の形態に係る導電性偏光板の反射／静電気防止層を示す断面図である。図３には示してはいないが、本発明の導電性偏光板は従来技術の導電性偏光板と同様に、保護層、粘着層、下部支持層、偏光層、上部支持層及び反射／静電気防止層が順次積層された構造をしている。
【００１８】
但し、本実施の形態に係る導電性偏光板では、反射／静電気防止層の構成が従来のものとは相異する。
【００１９】
詳しくは、図３に示したように、本実施の形態に係る反射／静電気防止層１６は、ＡＴＯ層２１の上にポリアセンチレン（Ｐｏｌｙａｃｅｔｙｌｅｎｅ）や、ポリピロール（Ｐｏｌｙｐｙｒｒｏｌｅ）のような伝導性高分子物質が所定のパターン形状に形成され（以下、伝導性高分子パターン３２と記す）、さらにその上にシリカ粒子２３が分散された反射防止層２２が形成された構造をしている。
【００２０】
本発明では、伝導性高分子パターン３２を通常のフォトリソグラフィ及びエッチング処理によって形成する。従って、本発明によれば、前記伝導性高分子パターン３２をＡＴＯ層２１上に均一に分布させることができ、それによって、偏光板に生じた静電気をＡＴＯ層２１に等しく分布させることができる。これによって、偏光板を付着して液晶表示装置を製造する際に生じる静電気を、上記した構造の偏光板により効率よく、信頼性高く除去できる。
【００２１】
また、本発明では、反射／静電気防止層１６の構成において、静電気防止処理のために、金属性ニッケル粒子の代りに反射防止層２２と同種の高分子物質を用いるので、伝導性高分子パターン３２と反射防止層２２との間の接着力には問題が無く、従って、反射／静電気防止層自体の信頼性をも確保できる。
【００２２】
一方、静電気防止処理のための伝導性高分子パターン３２は、上記した物質、即ち、ポリアセンチレン及びポリピロール以外に、ＡＴＯを用いても形成可能である。また、伝導性高分子パターン３２は、その部分形状を三角錐、円錐、四角錐または円筒等、種々の形状に形成可能である。
【００２３】
以上、本発明の一実施の形態に関して説明及び図示したが、当業者によって種々の修正及び変形が可能であり、従って、本特許請求範囲は、本発明の技術的思想の範囲に属するかぎり、あらゆる修正及び変形を含むものと理解されるべきである。
【図面の簡単な説明】
【００２４】
【図１】従来の導電性偏光板を示す断面図である。
【図２】従来の導電性偏光板における反射／帯電防止層を説明するための断面図である。
【図３】本発明に係る導電性偏光板における反射／静電気防止層を説明するための断面図である。
【符号の説明】
【００２５】
１１    保護層
１２    粘着層
１３    下部支持層
１４    偏光層
１５    上部支持層
１６    反射／静電気防止層
２１    ＡＴＯ（Ａｎｔｉｍｏｎｙ  Ｔｉｎ  Ｏｘｉｄｅ）層
２２    反射防止層
２３    シリカ粒子
３１    ニッケル粒子
３２    伝導性高分子パターン
【図１】
2005326858.tif 000003
【図２】
2005326858.tif 000004
【図３】
2005326858.tif 000005